(57)【要約】【課題】ＯＮＵの新設可能な未使用心線を簡略にかつ確実に識別可能な光心線識別方法及び光心線識別装置を提供する。【解決手段】第１の段階では、ＯＮＵの新設が可能と考えられる仮の新設対象心線を識別し、第２の段階では、第１の段階で識別された仮の新設対象心線が確かに未使用であってＯＮＵの新設が可能な新設対象心線であることを確認する。第１の段階では、上り光信号が検出されたか否かを判定し、上り光信号が検出されなかった場合に、測定対象の心線を仮の新設対象心線と識別する（ステップＳ６）。第２の段階では、上り光信号が検出されなかった場合に、仮の新設対象心線を新設対象心線と識別する（ステップＳ１５）。【選択図】図１
2008148272.tif 000002
【特許請求の範囲】
【請求項１】
局側から第１の波長の光信号を送出するＯＬＴ（Optical Line Terminal）と、ユーザ側の第２の波長の光信号を送出するＯＮＵ（Optical Network Unit）とを、スプリッタを介して光ファイバケーブルで接続して構成されるＰＯＮ（Passive Optical Network）通信システムにおいて、前記スプリッタと前記ＯＮＵとの間に配索された前記光ファイバケーブル内の複数の心線から前記ＯＮＵを新設可能な未使用心線（以下では新設対象心線という）を識別する光心線識別方法であって、
前記ＯＬＴから前記ＯＮＵ側に向けて（以下では下り方向という）送出される前記第１の波長の光信号（以下では下り光信号という）と、前記ＯＮＵ側から前記ＯＬＴ側に向けて（以下では上り方向という）伝送される光信号（以下では上り光信号という）とを前記スプリッタより下流側で測定し、
前記下り光信号が検出され、かつ前記上り光信号が未検出であるときの前記心線を前記新設対象心線と判定する
ことを特徴とする光心線識別方法。
【請求項２】
前記上り光信号は、前記ＯＮＵから上り方向に送出される前記第２の波長の光信号である
ことを特徴とする請求項１に記載の光心線識別方法。
【請求項３】
前記ＯＬＴには第３の波長の試験光発光手段が備えられ、かつ、
前記ＯＮＵには前記第３の波長の試験光を反射する反射手段が備えられており、
前記ＯＬＴから前記試験光発光手段で前記試験光を下り方向に送出し、
前記反射手段で反射されて上り方向に伝送される前記試験光を前記上り光信号として測定する
ことを特徴とする請求項１に記載の光心線識別方法。
【請求項４】
前記ＯＮＵには前記第３の波長の試験光を反射する反射手段が備えられており、
前記ＯＬＴから送出される前記下り光信号が検出され、かつ前記ＯＮＵから送出される前記第２の波長の上り光信号が未検出であるときの前記心線を仮の新設対象心線と判定して切断し、
前記仮の新設対象心線の切断された下り方向の端部から前記第３の波長の試験光を入射し、
前記試験光が前記上り光信号として未検出であるとき、前記仮の新設対象心線を前記新設対象心線と判定する
ことを特徴とする請求項１に記載の光心線判別方法。
【請求項５】
前記心線の前記スプリッタに接続された一端とは反対側の他端には、前記下り光信号を反射させる別の反射手段が事前に設けられており、
前記スプリッタより下流側の所定の測定位置で前記心線を通光する前記上り光信号を測定して第１の測定値を取得し、
前記第１の測定値が所定の閾値より小さいとき、
前記下り光信号が前記別の反射手段で反射して上り方向に通光する反射光を前記測定位置で測定して第２の測定値を取得し、
前記測定位置より下流側で前記心線に所定の大きさの損失を付与したときの前記反射光を測定して第３の測定値を取得し、
前記第２の測定値と前記第３の測定値とが異なるとき、前記心線を前記新設対象心線と判定する
ことを特徴とする請求項１に記載の光心線識別方法。
【請求項６】
局側から第１の波長の光信号を送出するＯＬＴと、ユーザ側の第２の波長の光信号を送出するＯＮＵとを、スプリッタを介して光ファイバケーブルで接続して構成されるＰＯＮ通信システムにおいて、前記スプリッタと前記ＯＮＵとの間に配索された前記光ファイバケーブル内の複数の心線から前記ＯＮＵを新設可能な未使用心線（以下では新設対象心線という）を識別する光心線識別装置であって、
前記スプリッタより下流側に設けられ、前記ＯＬＴから前記ＯＮＵ側に向けて（以下では下り方向という）送出される前記第１の波長の光信号（以下では下り光信号という）を検出する第１の検出器と、前記ＯＮＵ側から前記ＯＬＴ側に向けて（以下では上り方向という）伝送される光信号（以下では上り光信号という）を検出する第２の検出器とを有する検出部と、
前記検出部の前記第１の検出器と前記第２の検出器とからそれぞれの測定値を入力し、前記第１の検出器で前記下り光信号が検出され、かつ前記第２の検出器で前記上り光信号が未検出であるときの前記心線を前記新設対象心線と判定する判定処理部と、を備える
ことを特徴とする光心線識別装置。
【請求項７】
さらに、第３の波長の試験光を発光する試験光発光手段を備える
ことを特徴とする請求項６に記載の光心線識別装置。
【請求項８】
前記第１の検出器と前記第２の検出器とは、それぞれ前記下り光信号と前記上り光信号とを選択的に受光する波長選択機能を備える
ことを特徴とする請求項６に記載の光心線識別装置。
【請求項９】
さらに、前記心線に所定の大きさの損失を付加する損失付加手段を備え、
前記第１の検出器及び前記第２の検出器には、前記下り信号及び前記下り信号が前記心線の端部に設けられた別の反射手段で反射される反射光を遮断するフィルタが着脱可能にそれぞれ備えられ、
前記判定処理部は、前記第１の検出器及び前記第２の検出器に前記フィルタを装着して前記第２の検出器で前記上り光信号を測定した第１の測定値と、前記第１の検出器及び前記第２の検出器から前記フィルタを取外して前記第２の検出器で前記反射光を測定した第２の測定値と、前記第１の検出器及び前記第２の検出器から前記フィルタを取外しかつ前記損失付加手段で前記損失を付加して測定した第３の測定値と、をそれぞれ入力し、前記第１の測定値が所定の閾値より小さく、かつ前記第２の測定値と前記第３の測定値とが異なると判定された前記心線を前記新設対象心線と判定している
ことを特徴とする請求項６に記載の光心線識別装置。
【発明の詳細な説明】
【技術分野】
【０００１】
本発明は、光伝送線路の心線対照を行うのに用いられる光心線識別方法及び光心線識別装置に関し、特にＰＯＮ通信システムにおいて未使用心線を識別するのに用いられる光心線識別方法及び光心線識別装置に関する。
【背景技術】
【０００２】
光ファイバを用いた通信システムとして、図４に示すようなＰＯＮ（Ｐａｓｓｉｖｅ  Ｏｐｔｉｃａｌ  Ｎｅｔｗｏｒｋ）通信が知られている。ＰＯＮ通信システム９００では、ＯＬＴ（Ｏｐｔｉｃａｌ  Ｌｉｎｅ  Ｔｅｒｍｉｎａｌ）９０１からの下りの光信号λ９１がスプリッタ９０２で分岐され、複数のユーザ側ＯＮＵ（Ｏｐｔｉｃａｌ  Ｎｅｔｗｏｒｋ  Ｕｎｉｔ）９０３に送信される。各ＯＮＵでは、自分宛にきた光信号のみを選択して取得する。この下りの光信号λ９１には、各ＯＮＵ９０３から送出する上りの光信号λ９２の送出タイミングを制御する信号も含まれている。
【０００３】
各ＯＮＵ９０３から送出された各光信号λ９２は、スプリッタ９０２で合波され、ＯＬＴ９０１が指定したタイミングの信号列でＯＬＴ９０１に入力される。ＯＬＴ９０１では、上りの光信号λ９２の信号列がＯＮＵ９０３のそれぞれの光信号に分けられる。
【０００４】
上記構成のＰＯＮ通信システム９００において、光通信を行う光線路を監視し、異常が発生した場合にはその保守を行う装置として、例えば特許文献１に開示されているものが知られている。これは、開設済みの光線路に対し、局側から試験光を送出し、ユーザ側のＯＮＵに設けられているターミネーションで反射されて再び局側に戻ることを確認することで、光線路を監視している。
【０００５】
これに対し、開設されていない空き回線を新たに使用する場合には、上記の装置を用いて未使用の心線を選択することはできない。例えば図６（ａ）に示すように、スプリッタ９０２に先行配線された心線に対して、クロージャ部９２０の位置にＯＮＵを新設して回線の開通を行う際には、既にＯＮＵ９０３が設置され使用されている心線（現用心線）を誤切断しないよう、空き回線である未使用の心線を識別して切断するする必要がある。
【０００６】
従来、未使用の心線を識別するためには、図６（ｂ）に示すように、敷設されている光ファイバケーブル９１０の端末部に赴いて新設予定の心線を選択し、そこから心線対照用の試験光を入射し、この試験光を切断予定箇所のクロージャ部９２０で心線対照機を用いて検出することで当該心線を特定している。このようにして新設予定の心線を識別した後に、この心線を切断してＯＮＵ９０３ａを新設する（図６（ｃ）という方法をとっていた。
【特許文献１】特許第３０４２５９４号公報
【発明の開示】
【発明が解決しようとする課題】
【０００７】
しかしながら、上記従来の技術では以下のような問題があった。光ファイバケーブルの端末から試験光を入射して心線対照を行う方法では、作業箇所が光ファイバケーブルの端末部と切断予定箇所の２箇所となってしまい、作業人員を少なくとも２人配備する必要があって高コストとなってしまうといった問題がある。また、光ファイバケーブルの端末部では、試験光を入射する心線を複数の心線の中から選択する必要があるため時間がかかり、さらに光源を接続するための手間がかかった。
【０００８】
上記のように、新設予定の心線を選択するための心線対照作業は非常に手間のかかる作業であることから、実運用においては、該当する心線を設備図面等の設計データのみを用いて選択し、心線対照機を用いた心線対照作業を省略することがあった。そのため、心線を誤選択して切断してしまうといった問題もあった。
【０００９】
そこで、本発明はこれらの問題を解決するためになされたものであり、ＯＮＵの新設可能な未使用心線を簡略にかつ確実に識別可能な光心線識別方法及び光心線識別装置を提供することを目的とする。
【課題を解決するための手段】
【００１０】
本発明の光心線識別方法の第１の態様は、局側から第１の波長の光信号を送出するＯＬＴと、ユーザ側の第２の波長の光信号を送出するＯＮＵとを、スプリッタを介して光ファイバケーブルで接続して構成されるＰＯＮ通信システムにおいて、前記スプリッタと前記ＯＮＵとの間に配索された前記光ファイバケーブル内の複数の心線から前記ＯＮＵを新設可能な未使用心線（以下では新設対象心線という）を識別する光心線識別方法であって、前記ＯＬＴから前記ＯＮＵ側に向けて（以下では下り方向という）送出される前記第１の波長の光信号（以下では下り光信号という）と、前記ＯＮＵ側から前記ＯＬＴ側に向けて（以下では上り方向という）伝送される光信号（以下では上り光信号という）とを前記スプリッタより下流側で測定し、前記下り光信号が検出され、かつ前記上り光信号が未検出であるときの前記心線を前記新設対象心線と判定することを特徴とする。
【００１１】
本発明の光心線識別方法の他の態様は、前記上り光信号が、前記ＯＮＵから上り方向に送出される前記第２の波長の光信号であることを特徴とする。
【００１２】
本発明の光心線識別方法の他の態様は、前記ＯＬＴには第３の波長の試験光発光手段が備えられ、かつ、前記ＯＮＵには前記第３の波長の試験光を反射する反射手段が備えられており、前記ＯＬＴから前記試験光発光手段で前記試験光を下り方向に送出し、前記反射手段で反射されて上り方向に伝送される前記試験光を前記上り光信号として測定することを特徴とする。
【００１３】
本発明の光心線識別方法の他の態様は、前記ＯＮＵには前記第３の波長の試験光を反射する反射手段が備えられており、前記ＯＬＴから送出される前記下り光信号が検出され、かつ前記ＯＮＵから送出される前記第２の波長の上り光信号が未検出であるときの前記心線を仮の新設対象心線と判定して切断し、前記仮の新設対象心線の切断された下り方向の端部から前記第３の波長の試験光を入射し、前記試験光が前記上り光信号として未検出であるとき、前記仮の新設対象心線を前記新設対象心線と判定することを特徴とする。
【００１４】
本発明の光心線識別方法の他の態様は、前記心線の前記スプリッタに接続された一端とは反対側の他端には、前記下り光信号を反射させる別の反射手段が事前に設けられており、  前記スプリッタより下流側の所定の測定位置で前記心線を通光する前記上り光信号を測定して第１の測定値を取得し、前記第１の測定値が所定の閾値より小さいとき、前記下り光信号が前記別の反射手段で反射して上り方向に通光する反射光を前記測定位置で測定して第２の測定値を取得し、前記測定位置より下流側で前記心線に所定の大きさの損失を付与したときの前記反射光を測定して第３の測定値を取得し、前記第２の測定値と前記第３の測定値とが異なるとき、前記心線を前記新設対象心線と判定することを特徴とする。
【００１５】
本発明の光心線識別装置の第１の態様は、局側から第１の波長の光信号を送出するＯＬＴと、ユーザ側の第２の波長の光信号を送出するＯＮＵとを、スプリッタを介して光ファイバケーブルで接続して構成されるＰＯＮ通信システムにおいて、前記スプリッタと前記ＯＮＵとの間に配索された前記光ファイバケーブル内の複数の心線から前記ＯＮＵを新設可能な未使用心線（以下では新設対象心線という）を識別する光心線識別装置であって、前記スプリッタより下流側に設けられ、前記ＯＬＴから前記ＯＮＵ側に向けて（以下では下り方向という）送出される前記第１の波長の光信号（以下では下り光信号という）を検出する第１の検出器と、前記ＯＮＵ側から前記ＯＬＴ側に向けて（以下では上り方向という）伝送される光信号（以下では上り光信号という）を検出する第２の検出器とを有する検出部と、前記検出部の前記第１の検出器と前記第２の検出器とからそれぞれの測定値を入力し、前記第１の検出器で前記下り光信号が検出され、かつ前記第２の検出器で前記上り光信号が未検出であるときの前記心線を前記新設対象心線と判定する判定処理部と、を備えることを特徴とする。
【００１６】
本発明の光心線識別装置の他の態様は、さらに、第３の波長の試験光を発光する試験光発光手段を備えることを特徴とする。
【００１７】
本発明の光心線識別装置の他の態様は、前記第１の検出器と前記第２の検出器とは、それぞれ前記下り光信号と前記上り光信号とを選択的に受光する波長選択機能を備えることを特徴とする。
【００１８】
本発明の光心線識別装置の他の態様は、さらに、前記心線に所定の大きさの損失を付加する損失付加手段を備え、前記第１の検出器及び前記第２の検出器には、前記下り信号及び前記下り信号が前記心線の端部に設けられた別の反射手段で反射される反射光を遮断するフィルタが着脱可能にそれぞれ備えられ、前記判定処理部は、前記第１の検出器及び前記第２の検出器に前記フィルタを装着して前記第２の検出器で前記上り光信号を測定した第１の測定値と、前記第１の検出器及び前記第２の検出器から前記フィルタを取外して前記第２の検出器で前記反射光を測定した第２の測定値と、前記第１の検出器及び前記第２の検出器から前記フィルタを取外しかつ前記損失付加手段で前記損失を付加して測定した第３の測定値と、をそれぞれ入力し、前記第１の測定値が所定の閾値より小さく、かつ前記第２の測定値と前記第３の測定値とが異なると判定された前記心線を前記新設対象心線と判定していることを特徴とする。
【発明の効果】
【００１９】
本発明によれば、ＯＬＴから送出される下り光信号が検出され、かつＯＮＵ側からＯＬＴ方向に伝送される上り光信号が未検出であることでＯＮＵの新設可能な未使用心線を識別していることから、ＯＮＵの新設対象心線を簡略にかつ確実に識別可能な光心線識別方法及び光心線識別装置を提供することが可能となる。
【発明を実施するための最良の形態】
【００２０】
本発明の好ましい実施の形態における光心線識別装置及び識別方法について、図面を参照して詳細に説明する。なお、同一機能を有する各構成部については、図示及び説明簡略化のため、同一符号を付して示す。
【００２１】
本発明の実施の形態に係る光心線識別方法及び光心線識別装置を、図２を用いて詳細に説明する。図２は、局１１０に設置されたＯＬＴ１１１とユーザ側に設置されたＯＮＵ１２０とを、スプリッタ１３０を介して光ファイバケーブル１４０で接続して構成されたＰＯＮ通信システム１００の一部を拡大して示した模式図である。図２ではスプリッタ１３０を１台のみ示しているが、ＯＬＴ１１１に接続されている光ファイバケーブル１４０には、スプリッタ１３０が接続されている心線以外の他の心線にも同様のスプリッタが接続されている。また、スプリッタ１３０の下り方向にさらに別のスプリッタを直列に接続させてさらに分波されることもある。本実施形態の心線識別方法は、最下流のスプリッタ１３０に接続される光ファイバケーブル１４０ａの心線識別を行うものである。
【００２２】
ＯＬＴ１１１からは、ＯＮＵ１２０に向けて（以下では下り方向という）所定の波長（λ１とする）の光信号（以下では下り光信号という）が送出されており、この下り光信号がスプリッタ１３０で分波されて各ユーザ側のＯＮＵ１２０に伝送される。一方、各ユーザ側に設置されたＯＮＵ１２０からは、下り光信号の波長とは別の波長（λ２とする）の光信号（以下では上り光信号という）がＯＬＴ１１１側に向けて（以下では上り方向という）送出されており、各ＯＮＵ１２０からの上り光信号はスプリッタ１３０で合波されてＯＬＴ１１１に伝送される。下り光信号の波長λ１及び上り光信号の波長λ２として、例えばそれぞれ１．４９μｍ、１．３１μｍのレーザ光が用いられる。
【００２３】
ユーザ側に設置されているＯＮＵ１２０には、全てターミネーション１２１が設けられている。このターミネーション１２１は、上記の波長λ１及びλ２とは別の波長（以下ではλ３とする）の光を反射する特性を有しており、例えば、ＰＯＮ通信システム１００の保守のために、ＯＬＴ１１１から送出された波長λ３の試験光を反射して再びＯＬＴ１１１に戻す役割を有している。波長λ３の試験光として、例えば波長１．６５μｍのレーザ光を用いることができる
【００２４】
スプリッタ１３０の下り方向に接続される光ファイバケーブル１４０ａとして、例えば２４単心ケーブルを用いることができる。スプリッタ１３０の下り方向には、現在使用されている心線（以下では現用心線という）だけでなく、将来予想される需要数を含めた数だけ心線をスプリッタ１３０に事前に接続しておくことができる。従って、スプリッタ１３０の下り方向に接続された光ファイバケーブル１４０ａには、現用心線のほかにスプリッタ１３０に接続されているが未使用の心線、及びスプリッタ１３０にも接続されていない心線が含まれている。
【００２５】
スプリッタ１３０に接続された光ファイバケーブル１４０ａの下流側端面には、鏡面切断等の別の反射手段が事前に設けられており、未使用の心線では下り方向に伝送された光が端部でフレネル反射するよう処理されている。この処理は、例えば光ファイバケーブル１４０ａの敷設時に行うものとし、その後も端面状態が適切に維持されるよう保守されているものとする。
【００２６】
本実施形態の光心線識別方法は、ＯＮＵを新設する対象の心線（以下では新設対象心線という）として、最下流のスプリッタ１３０に接続された光ファイバケーブル１４０ａから未使用の心線を識別する方法を提供するものである。ＯＮＵを新たに設置するクロージャ（以下では引き落としクロージャという）１５０の設置箇所を測定位置とし、この測定位置において光ファイバケーブル１４０ａ内の心線を通光する下り光信号及び上り光信号を本実施形態の光心線識別装置２００で測定して判定することで、新設対象心線を識別している。
【００２７】
本実施形態の光心線識別方法は、ＯＮＵを新設する対象の心線（以下では新設対象心線という）として、最下流のスプリッタ１３０に接続された光ファイバケーブル１４０ａから未使用の心線を識別する方法を提供するものである。ＯＮＵを新たに設置するクロージャ（以下では引き落としクロージャという）１５０の設置箇所を測定位置とし、この測定位置において光ファイバケーブル１４０ａ内の心線を通光する下り光信号及び上り光信号を本実施形態の光心線識別装置２００で測定して判定することで、新設対象心線を識別している。
【００２８】
本実施形態では、新設対象心線の識別を２つの段階に分けて行うようにしている。すなわち、第１の段階では、ＯＮＵの新設が可能と考えられる未使用心線（以下では仮の新設対象心線という）を識別し、第２の段階では、第１の段階で識別された仮の新設対象心線が確かに未使用であってＯＮＵの新設が可能な新設対象心線であることを確認する。図２（ａ）は、第１の段階の光心線識別方法を示しており、図２（ｂ）は、第２の段階の光心線識別方法を示している。
【００２９】
まず、第１の段階では、本実施形態の光心線識別装置２００で測定される測定対象の下り光信号として、ＯＬＴ１１１から送出される波長λ１の光信号を用いている。測定対象の心線がスプリッタ１３０に接続されている場合には、光心線識別装置２００で上記の下り光信号が検出されることになり、測定対象の心線がスプリッタ１３０に接続されていない場合には、光心線識別装置２００で下り光信号が検出されないことになる。よって、下り光信号としてＯＬＴ１１１から送出される波長λ１の光信号を用いることで、測定対象の心線がスプリッタ１３０に接続されているか否かを判定することが可能となる。
【００３０】
また、測定対象の上り光信号としては、ＯＮＵ１２０から送出される波長λ２の光信号を用いている。測定対象の心線が、ＯＮＵ１２０が既に設置された現用心線の場合には、光心線識別装置２００で上り光信号が検出されることになり、測定対象の心線が未使用の心線の場合には、光心線識別装置２００で上り光信号が検出されないことになる。よって、上り光信号としてＯＮＵ１２０から送出される波長λ２の光信号を用いることで、測定対象の心線が現用心線かあるいは未使用心線かを判定することが可能となる。
【００３１】
そこで本実施形態の光心線識別方法の第１の段階では、光心線識別装置２００でＯＬＴ１１１から送出される波長λ１の下り光信号が検出され、かつＯＮＵ１２０から送出される波長λ２の上り光信号が未検出の場合に、測定対象の心線がＯＮＵの新設可能な心線と期待される仮の新設対象心線と判定している。ここで、新設対象心線と判定せず仮の新設対象心線と判定しているのは、下記の理由によるものである。
【００３２】
第１の段階の光心線識別方法では、上り光信号としてＯＮＵ１２０から送出される波長λ２の光信号を用いており、光心線識別装置２００でこの上り光信号が検出されないことを条件に仮の新設対象心線と判定しているが、波長λ２の光信号は、ＯＮＵ１２０が設置されていても例えば電源が切られている場合には送出されない。そのため、ＯＮＵ１２０の電源が切られている場合には、これが接続される現用心線を未使用の心線と誤識別しまうことになる。
【００３３】
そこで、本実施形態の光心線識別方法では、第２の段階において、第１の段階で識別された仮の新設対象心線が、ＯＮＵ１２０が設置されていない未使用の心線であるかを確認している。第２の段階の光心線識別方法では、まず、第１の段階で識別された仮の新設対象心線を引き落としクロージャ部１５０で切断し、切断された仮の新設対象心線の下流側の端部から波長λ３の試験光を入射する。仮の新設対象心線の下流側にＯＮＵ１２０が設置されている場合には、ＯＮＵ１２０に備えられたターミネーション１２１でこの試験光が反射され、これが光心線識別装置２００で上り光信号として検出される。
【００３４】
そこで、波長λ３の試験光が入射された後、光心線識別装置２００で上り光信号を測定し、試験光が反射された上り光信号が検出された場合には、仮の新設対象心線を新設対象心線でなく現用心線であると判定する。また、光心線識別装置２００で上り光信号が検出されなかった場合には、仮の新設対象心線の下流にはＯＮＵ１２０が設置されていない未使用の心線と判定し、仮の新設対象心線を新設対象心線であると識別する。
【００３５】
本実施形態の光心線識別方法を、図１に示す流れ図を用いてさらに詳細に説明する。まず第１の段階として、ステップＳ１において、ＯＬＴ１１１から波長λ１の下り光信号が送出中であり、ＯＮＵ１２０からは波長λ２の上り光信号が送出中であることを確認している。この下り光信号及び上り光信号を、引き落としクロージャ１５０が設置されている測定位置において測定する（ステップＳ２）。そして、ステップＳ３において、まず下り光信号が検出されたか否かを判定する。
【００３６】
ステップＳ３の判定において、下り光信号が検出された場合には、測定対象の心線がスプリッタ１３０に接続されていることが確認されたことから、次にステップＳ４に進む。一方、下り光信号が検出されなかった場合には、測定対象の心線がスプリッタ１３０に接続されていないと判定し、ＯＮＵを新設する対象の心線でないと識別する（ステップＳ５）。
【００３７】
ステップＳ４では、上り光信号が検出されたか否かを判定し、上り光信号が検出されなかった場合には、測定対象の心線を仮の新設対象心線と識別する（ステップＳ６）。また、上り光信号が検出された場合には、測定対象の心線の下流側にＯＮＵ１２０が接続された現用心線であると判定して測定対象の心線を新設対象心線でないと識別する（ステップＳ７）。
【００３８】
ステップＳ６において仮の新設対象心線が識別されると、第２の段階としてステップＳ１１に進む。ステップＳ１１では、まず仮の新設対象心線を切断する。そして、ステップＳ１２において、切断された仮の新設対象心線の下流側の心線に波長λ３の試験光を入射する。さらに、ステップＳ１３において、上り光信号を測定する。ここで測定される上り光信号は、仮の新設対象心線の下流側にＯＮＵ１２０が設置されている場合に、ステップＳ１２で入射された試験光がターミネーション１２１で反射されたものである。
【００３９】
ステップＳ１４において上り光信号が検出されたか否かを判定し、上り光信号が検出されなかった場合には、測定対象の心線を新設対象心線と識別する（ステップＳ１５）。また、上り光信号が検出された場合には、測定対象の心線の下流側にＯＮＵ１２０が接続された現用心線であると判定して測定対象の心線を新設対象心線でないと識別する（ステップＳ１６）。
【００４０】
本発明の実施の形態に係る光心線識別装置２００の構成を図３に示す。光心線識別装置２００は、ＯＬＴ１１１から下り方向に送出される下り光信号を検出する第１の検出器２１１と、上り方向に伝送される上り光信号を検出する第２の検出器２１２とを備えた検出部２１０と、第１の検出器２１１と第２の検出器２１２とからそれぞれの測定値を入力して新設対象心線を識別する判定処理部２２０と、波長λ３の試験光を出射する光源２３０とを備えている。
【００４１】
第１の検出器２１１は、測定対象の波長λ１の光信号のみを測定するように波長選択機能を有しており、例えばフォトダイオード（ＰＤ）の前面に波長λ１の光信号のみを通過させる光学フィルタを設けて構成することができる。また、第２の検出器２１２は、第１の段階では波長λ２のＯＮＵ１２０から送出される上り光信号を測定し、第２の段階では波長λ３の試験光を上り光信号として測定している。そのため、第１の段階では波長λ２の光信号のみを測定し、第２の段階では波長λ３の光信号のみを測定するための波長選択機能を第２の検出器２１２が備えるようにしている。さらに、検出器２１２は、ターミネーション１２１で反射された試験光を測定する必要があることから、高感度な性能を有するセンサを用いている。
【００４２】
判定処理部２２０は、第１の検出器２１１及び第２の検出器２１２で測定した測定値を入力し、これを用いて図１に示す処理を実行している。また、光源２３０は、第２の段階のステップＳ１２で入射される試験光の光源として用いられる。本実施形態では、光源２３０は判定処理部２２０から制御される構成としている。
【００４３】
上記説明の通り、本発明の光心線識別方法及び光心線識別装置によれば、第１の段階において、ＯＬＴから送出される下り光信号と、ＯＮＵから送出される上り光信号とを検出して仮の新設対象心線を識別しており、さらに第２の段階で試験光を用いて新設対象心線を識別していることから、誤識別の恐れがなく信頼性の高い心線識別が可能となる。また、作業人員を引き落としクロージャの設置場所にのみに配置すればよいことから、省力化を図ることができる。
【００４４】
本発明の別の実施形態の光心線識別方法として、第１の実施形態による第１の段階の光心線識別方法のみを用いることが可能である。すなわち、図１のステップＳ６で識別された仮の新設対象心線を、新設対象心線と判定するものである。これにより、本実施形態では図１の第２の段階の処理を不要とすることから、波長λ３の試験光を出射させるための光源２３０が不要となって、低コスト化を図ることができる。
【００４５】
本発明のさらに別の実施形態の光心線識別方法を、図４を用いて以下に説明する。本実施形態の光心線識別方法では、局１１０に波長λ３の試験光を出射させる試験光発光手段１１２を設け、試験光発光手段１１２で発光させた試験光を局１１０から下り方向に送出できるようにしている。また、ＯＬＴ１１１から送出される波長λ１の光信号と、試験光発光手段１１２で発光される波長λ３の試験光のいずれかを選択するための光スイッチ１１３を備えている。
【００４６】
本実施形態の光心線識別方法により新設対象心線を識別する場合は、光スイッチ１１３を試験光発光手段１１２側に切り替え、試験光発光手段１１２で試験光を発光させて下流側に送出する。本実施形態では、測定対象の心線から測定する光信号として、下り光信号にＯＬＴ１１１から送出される波長λ１の光信号を用い、上り光信号には波長λ３の試験光がターミネーション１２１で反射されて上り方向に伝送される光信号を用いる。
【００４７】
第１の実施形態と同様に、下り光信号の検出からは、測定対象の心線がスプリッタ１３０に接続されているか否かを判定する。また、上り信号からは測定対象の心線が現用心線であるか否かを判定する。試験光である上り信号の判定処理は、図１に示した第１の実施形態の第２の段階の処理であるステップＳ１３からＳ１６までの処理と同じである。
【００４８】
上記の通り、本実施形態の光心線識別方法によれば、試験光を発光する試験光発光手段１１２を局１１０内に設けるようにしたことから、図３に示した光心線識別装置２００には光源２３０を備える必要がなくなり、光心線識別装置の小型化、低コスト化を図ることが可能となる。
【００４９】
本発明のさらに別の実施の形態に係る光心線識別方法及び光心線識別装置を、図７を用いて説明する。図７は、本実施形態の光心線識別装置３００を用いて、ＯＮＵの新設が可能な対象心線を識別する本実施形態の光心線識別方法を説明する全体流れ図である。上記の光心線識別装置２００を用いて心線識別を行う方法では、波長λ３の試験光を出射させる試験光発光手段を光心線識別装置２００または局１１０に設ける必要があり、その分コストがかかることになる。
【００５０】
そこで、本実施形態では、試験光がターミネーション１２１で反射される反射光を測定する代わりに、下り光信号が心線端部の別の反射手段で反射される波長λ１の反射光を対象に、心線の伝送損失を変化させたときの波長λ１の反射光の強度の変化を検出させるようにしている。すなわち、測定位置より下流側で心線に伝送損失を付加したとき、これによる光信号の変化が第２の検出器で検出できた場合には、上り方向の波長λ１の反射光が伝送されていると判定することができる。この場合、上り方向にＯＮＵ１２０から波長λ２の光信号が送出されていないことを事前に確認しておく必要がある。
【００５１】
本実施形態の光心線識別方法では、図７に示すように、光信号の測定を２段階に分けて行っており、符号３０１で示す第１段階では波長λ２の光信号の測定を行う。波長λ２の光信号の測定では、波長λ１の光信号も含めて測定することのないよう、波長λ１の光信号を遮断して行う。第１段階３０１の測定の結果、波長λ２の光信号が検出された場合には、測定対象の心線はＯＮＵが接続された現用心線であると判定する。また、波長λ２の光信号が検出されなかった場合には、さらに次の符号３０２で示す第２段階の測定を行う。
【００５２】
第２段階３０２の測定では、ＯＬＴ１１１から送出される波長λ１の光信号の反射光を測定する。但し、反射光の強度が低いためこれを検出できないおそれがあることから、本実施形態では、測定位置より下流側で測定中の心線に所定の損失を付加し、これによって測定値が変化するか否かを検出している。その結果、測定値の変化が検出された場合には、上り方向に波長λ１の反射光が伝送されていると判定でき、当該心線を新設対象心線と判定できる。心線に付加する損失は１〜２ｄＢ程度でよく、この程度の損失を付加することで波長λ１の反射光の変化を判定することが可能である。
【００５３】
測定中の心線は、第１段階３０１でＯＮＵから波長λ２の光信号が送出されていないことを確認済みであることから、測定位置より下流側で損失を付加したことによる測定値の変化は、波長λ１の反射光によるものであると判定することができる。また、損失を付加する位置は、測定位置より下流側とする必要があり、測定位置より上流側で損失を付加すると、測定位置では損失を付加する前後で下り方向の光信号の強度も変化してしまうため、波長λ１の反射光の変化の有無を検出することができなくなってしまう。
【００５４】
上記の通り、本実施形態の光心線識別方法では、第１段階３０１でＯＮＵから波長λ２の光信号が送出されていない光心線であることを確認し、第２段階３０２で測定位置より下流側で損失を付加したときに測定値が変化する心線を新設対象心線であると判定するようにしたことにより、波長λ１の反射光の強度が低い場合でも新設対象心線を正確に判定することが可能となっている。
【００５５】
本実施形態の光心線識別装置３００の概略構成を図８に示す。光心線識別装置３００は、検出器３１１、３１２の受光面前方に、波長λ１の光信号をカットするフィルタ３１３、３１４を着脱可能に備えている。このフィルタ３１３、３１４は、第１段階の波長λ２の光信号を測定するときに用いるものである。
【００５６】
第１の検出器３１１は、光心線識別装置２００と同様、ＯＬＴ１１１から下り方向に送出される下り光信号を検出するものであり、第２の検出器３１２は、上り方向の光信号として波長λ１の反射光又はＯＮＵ１２０から送出される波長λ２の光信号を測定するものである。第２の検出器３１２で波長λ２の光信号を測定する場合には、波長λ１の光信号を受光するのを防止するために、第１の検出器３１１と第２の検出器３１２のそれぞれにフィルタ３１３、３１４を装着する。フィルタ３１３、３１４は、波長λ１の光信号を遮断するフィルタである。
【００５７】
本実施形態の光心線識別装置３００はさらに、測定対象の光心線に所定の大きさの損失を付加するための損失付加手段３３０を備えている。損失付加手段３３０は、光心線識別装置３００の図示しない筐体に一体に具備されるようにしてもよく、あるいは、光心線識別装置３００の筐体とは別に設けてもよい。
【００５８】
光心線識別装置３００を用いて行う本実施形態の光心線識別方法を、図９の流れ図を用いてさらに詳細に説明する。まずステップＳ２１において、検出器３１１、３１２の受光面前方にフィルタ３１３、３１４を装着し、次のステップＳ２２で波長λ２の光信号を測定して第１の測定値を取得する。ステップＳ２３において、第１の測定値が所定の閾値Ａ１より小さいかを判定し、閾値Ａ１より小さい場合には第２段階のステップＳ２５に進み、閾値Ａ１以上の場合には当該心線を現用心線と判定する（ステップＳ２４）。閾値Ａ１には、波長λ２の光信号の有無を判定するのに好適な値を用いる。
【００５９】
第２段階ではまず、ステップＳ２５で検出器３１１、３１２の受光面前方からフィルタ３１３、３１４を取り外す。次のステップＳ２６では、検出器３１２で波長λ１の反射光を測定して第２の測定値を取得する。その後、損失付加手段３３０を用いて当該心線の測定位置より下流側に所定の損失を付加し（ステップＳ２７）、その時の波長λ１の反射光を検出器３１２で測定して第３の測定値を取得する（ステップＳ２８）。そして、ステップＳ２９で第２の測定値と第３の測定値との差の絶対値が所定の閾値Ａ２より大きいかを判定する。
【００６０】
ステップＳ２９の判定の結果、両者の差の絶対値が閾値Ａ２より大きいと判定した場合には、波長λ１の反射波の変化が検出されたと判定して当該心線を新設対象心線と判定する（ステップＳ３０）。また、両者の差の絶対値が閾値Ａ２以下でほとんど変化していない場合には、反射波がないと判定して当該心線を現用心線と判定する（ステップＳ３１）。閾値Ａ２には、波長λ１の反射波の変化を検出するのに好適な値を設定する。
【００６１】
本実施形態の心線識別方法を用いた１実施例を、図１０を用いて以下に説明する。本実施形態の心線識別方法では、第１の測定値をもとにＯＮＵ１２０から波長λ２の光信号が送出されているか否かを容易に判定することができる。そこで、図１０では第２段階の心線識別方法について説明する。第２段階では、測定中の心線を通光する光はＯＬＴ１１１から送出された波長λ１の光信号のみであることが確認されている。
【００６２】
図１０（ａ）、（ｂ）は、測定中の心線の端部にＯＮＵ１２０が接続されていない場合の波長λ１の光信号の強度を示している。図１０（ａ）の例では、測定位置における波長λ１の下り光信号の強度をー２３ｄＢｍとし、心線端部の別の反射手段による反射で１５ｄＢの低下があるものとしている。この場合、測定位置における反射波の強度はー３８ｄＢｍとなる。
【００６３】
上記のように、波長λ１の反射波がある場合には、検出器３１２でー３８ｄＢｍの反射波からの漏れ光を受光するが、検出器３１２には波長λ１の下り方向の光信号もわずかであるが受光してしまう。そのため、検出器３１２の測定値は、上記のー３８ｄＢｍの反射波からの漏れ光よりも大きな値が得られる。この測定値から、反射光の漏れ光だけの強度を判定するのは困難である。
【００６４】
そこで、本実施形態では、図１０（ｂ）に示すように、測定位置より下流側で当該心線に所定の損失（ー１ｄＢとする）を付加している。この場合、測定位置を通過した下り光信号の強度は、損失付加地点で１ｄＢ低下した後別の反射手段で反射されるときに１５ｄＢ低下する。そして、反射されて上り方向に進む反射波は、損失地点で再び１ｄＢ低下することから、検出器３１２に受光される反射波の強度は、ー４０ｄＢｍとなる。
【００６５】
上記の通り、損失付加手段によって１ｄＢだけ損失を付加することで、検出器３１２では光信号の強度を２ｄＢ変化させたときの漏れ光の変化を測定する。損失を付加しないときの測定位置における強度−３８ｄＢｍ、及び損失を付加したときの測定位置における強度―４０ｄＢｍを線形値に変換すると、それぞれ１．５８×１０−４ｍＷ、及び１．００×１０−４ｍＷとなる。光信号の強度が、両者の差である０，５８×１０−４ｍＷだけ変化したときの漏れ光の変化を検出することで、波長λ１の反射波が伝送されていることを確認することができる。
【００６６】
これに対し、当該光心線の端部にＯＮＵ１２０が接続されている場合には、図１０（ｃ）に示すように、損失を付加しない場合、下り光信号はＯＮＵ１２０で５０ｄＢ低下して反射される。その結果、検出器３１２は−７３ｄＢｍの強度の光信号からの漏れ光を受光することになる。また、損失付加手段３３０で損失を付加した図１０（ｄ）の場合には、検出器３１２で−７５ｄＢｍの強度の光信号からの漏れ光を測定することになる。
【００６７】
損失を付加しないときの光信号の強度−７３ｄＢｍ、及び損失を付加したときの光信号の強度―７５ｄＢｍを線形値に変換すると、それぞれ５．０１×１０−８ｍＷ、及び３．１６×１０−８ｍＷとなる。よって、両者の差は１．８５×１０−８ｍＷとなるが、このようなわずかな強度の変化による漏れ光の変化は極めて小さく、これを検出することはほとんど不可能である。よって、損失付加の有無による検出器３１２の測定値の変化が十分小さい（閾値Ａ２より小さい）ときは、当該心線にＯＮＵ１２０が接続されていると判定できる。
【００６８】
上記では、波長λ１の下り方向の光信号からの漏れ光の影響については考慮していなかったが、検出器３１２で波長λ１の下り方向の光信号の漏れ光も受光してしまう場合には、検出器３１２の測定値はさらに大きくなる。しかしながら、検出器３１２で受光する波長λ１の下り光信号は、損失付加装置で損失を付加するかしないかで変化することはないことから、損失を付加するときと付加しないときとの検出器３１２による測定値の差は、波長λ１の反射光の強度の変化だけで決まることになる。従って、検出器３１２の測定値の変化を検知するか否かによって、波長λ１の反射光が通光しているか否かを判定することができ、これにより新設対象心線か否かを正確に判定することが可能となる。
【００６９】
なお、本実施の形態における記述は、本発明に係る光心線識別方法及び光心線識別装置の一例を示すものであり、これに限定されるものではない。本実施の形態における光心線識別方法及び光心線識別装置の細部構成及び詳細な動作等に関しては、本発明の趣旨を逸脱しない範囲で適宜変更可能である。
【図面の簡単な説明】
【００７０】
【図１】本発明の実施形態に係る心線識別方法の処理の流れを示す流れ図である。
【図２】本発明の実施形態に係る心線識別方法を説明するためのＰＯＮ通信システムの模式図である。
【図３】本発明の実施形態に係る心線識別装置を示すブロック図である。
【図４】本発明の別の実施形態の心線識別方法を説明するためのＰＯＮ通信システムの模式図である。
【図５】ＰＯＮ通信システムの概略構成を示すブロック図である。
【図６】従来の心線識別方法を説明するためのＰＯＮ通信システムの模式図である。
【図７】本発明の別の実施形態に係る光心線識別方法を説明する全体流れ図である。
【図８】本発明の別の実施形態に係る心線識別装置を示すブロック図である。
【図９】本発明の別の実施形態に係る心線識別方法の処理の流れを示す流れ図である。
【図１０】本発明の別の実施形態に係る心線識別方法を用いた１実施例を説明する図である。
【符号の説明】
【００７１】
１００、９００    ＰＯＮ通信システム  １１０    局
１１１、９０１    ＯＬＴ
１１２    試験光発光手段
１１３    光スイッチ
１２０、９０３    ＯＮＵ
１２１    ターミネーション
１３０、９０２    スプリッタ
１４０、９１０    光ファイバケーブル
１５０、９２０    引き落としクロージャ部
２００、３００    心線識別装置
２１０、３１０    検出部
２１１、２１２、３１１、３１２    検出器
３１３、３１４    フィルタ
２２０、３２０    判定処理部
３３０    損失付加手段
【図１】
2008148272.tif 000003
【図２】
2008148272.tif 000004
【図３】
2008148272.tif 000005
【図４】
2008148272.tif 000006
【図５】
2008148272.tif 000007
【図６】
2008148272.tif 000008
【図７】
2008148272.tif 000009
【図８】
2008148272.tif 000010
【図９】
2008148272.tif 000011
【図１０】
2008148272.tif 000012